(57)【要約】【課題】液晶モジュールのリワーク工程において、液晶パネルのガラス基板の表面に付着しているアクリル系接着剤を手作業で効率良く拭き取る方法を提供する。【解決手段】（Ａ）未開封のアクリル系接着剤除去用品１を用意する。このアクリル系接着剤除去用品１は、溶剤を適量含浸させたワイパ２を容器３に収容し密封してなる。溶剤は、酢酸エチル８０〜９０質量％及び二塩基酸エステル１０〜２０質量％からなる。（Ｂ）アクリル系接着剤除去用品１の容器３を開封する。（Ｃ）容器３からワイパ２を一枚摘み出す。（Ｄ）容器３の開封端近傍を折り曲げ、再封止状態保持部材５の部分を押圧することにより袋体４を再封止する。（Ｅ）液晶パネル１０のガラス基板１１の表面に付着しているアクリル系接着剤１２をワイパ２を使用して手作業で拭き取る。【選択図】図２
2011160961.tif 000002
【特許請求の範囲】
【請求項１】
酢酸エチル８０〜９０質量％及び二塩基酸エステル１０〜２０質量％からなる溶剤を含浸させたワイパと当該ワイパを気密に収容した容器とを有するアクリル系接着剤除去用品。
【請求項２】
前記二塩基酸エステルは、グルタル酸ジメチル、コハク酸ジメチル及びアジピン酸ジメチルの混合液である請求項１のアクリル系接着剤除去用品。
【請求項３】
前記ワイパは、ポリエステル繊維からなる布である請求項１のアクリル系接着剤除去用品。
【請求項４】
前記ワイパは、ポリエステル８０質量％及びナイロン２０質量％を含む分割繊維からなる布である請求項１のアクリル系接着剤除去用品。
【請求項５】
前記布は、編物又は織物である請求項３又は４のアクリル系接着剤除去用品。
【請求項６】
前記容器は、開封後にその開封端近傍を折り曲げることにより再封止可能な耐溶剤性の袋体と、当該袋体の開封端近傍の折り曲げに伴って変形してその変形後の形状を維持することにより当該袋体を再封止状態に保つ再封止状態保持部材と、を備えている請求項１のアクリル系接着剤除去用品。
【請求項７】
前記再封止状態保持部材は、前記袋体の表面に固定されている請求項６のアクリル系接着剤除去用品。
【請求項８】
被処理対象物に付着しているアクリル系接着剤を手作業で拭き取り除去するアクリル系接着剤除去処理方法であって、
酢酸エチル８０〜９０質量％及び二塩基酸エステル１０〜２０質量％からなる溶剤を含浸させたワイパと、当該ワイパを気密に収容した容器とを有するアクリル系接着剤除去用品を用意するステップと、
前記容器から前記ワイパを取り出すステップと、
当該ワイパを用いて被処理対象物に付着しているアクリル系接着剤を手作業で拭き取るステップと、を含む、アクリル系接着剤除去処理方法。
【請求項９】
前記被処理対象物は、液晶パネルのガラス基板である請求項８のアクリル系接着剤除去処理方法。
【請求項１０】
前記二塩基酸エステルは、グルタル酸ジメチル、コハク酸ジメチル及びアジピン酸ジメチルの混合液である請求項８のアクリル系接着剤除去処理方法。
【請求項１１】
前記ワイパは、ポリエステル繊維からなる布である請求項８のアクリル系接着剤除去処理方法。
【請求項１２】
前記ワイパは、ポリエステル８０質量％及びナイロン２０質量％を含む分割繊維からなる布である請求項８のアクリル系接着剤除去処理方法。
【請求項１３】
前記布は、編物又は織物である請求項１１又は１２のアクリル系接着剤除去処理方法。
【請求項１４】
前記容器は、開封後にその開封端近傍を折り曲げることにより簡易に再封止可能な袋体と、当該袋体の開封端近傍の折り曲げに伴って変形してその変形後の形状を維持することにより当該袋体を再封止状態に保つ再封止状態保持部材と、を備えている請求項８のアクリル系接着剤除去処理方法。
【請求項１５】
前記再封止状態保持部材は、前記袋体の表面に固定されている請求項１４のアクリル系接着剤除去処理方法。
【発明の詳細な説明】
【技術分野】
【０００１】
本発明は、アクリル系接着剤を溶剤を使用して除去する技術に関し、詳しくは、液晶パネルのガラス基板等に付着したアクリル系接着剤を除去するのに好適な用品及び方法に関する。
【背景技術】
【０００２】
液晶モジュールの製造過程では、二枚のガラス基板を液晶層を挟んで貼り合わせてなる液晶パネルの両ガラス基板の表面に偏光フィルムを貼り付ける工程が実施される。そして、偏光フィルムを貼り付けた液晶パネルの周辺部分に、駆動用ＬＳＩが実装されたフィルム基板（ＴＣＰ）やプリント基板を取り付けた後、検査工程を経て液晶モジュールが完成する。
【０００３】
偏光フィルムをガラス基板に貼り付ける工程において、偏光フィルムとガラス基板との間に気泡や異物の混入などによる欠陥が発生する場合がある。液晶モジュールは高価であるため、この種の欠陥が発見された液晶モジュールはリワーク工程に送られる。
【０００４】
リワーク工程では、液晶モジュールのガラス基板から偏光フィルムを剥がし取り、そのガラス基板の表面に付着しているアクリル系接着剤を除去した後、そのガラス基板の表面に偏光フィルムを貼り直す作業が行われる。
【０００５】
リワーク工程において、ガラス基板の表面に付着しているアクリル系接着剤を除去する処理は、溶剤を含浸させたワイパを使用して作業者が手作業でアクリル系接着剤を拭き取ることにより行われる。
【０００６】
しかし、アクリル系接着剤はガラス基板の表面に強固に付着しているため、これを除去することは容易ではなく、接着剤の除去効率を高めたいという作業者の心理から溶剤の使用量が過剰になる傾向がある。また、作業者が手作業でアクリル系接着剤を拭き取る際、力余ってガラス基板を破損してしまうという事態も生じる。
【先行技術文献】
【特許文献】
【０００７】
【特許文献１】特開平０６−１０８０３１号公報
【発明の概要】
【発明が解決しようとする課題】
【０００８】
本発明が解決しようとする課題は、ガラス基板等に付着したアクリル系接着剤を手作業で効率良く拭き取って除去することができるアクリル系接着剤除去用品及びアクリル系接着剤除去処理方法を提供することにある。
【課題を解決するための手段】
【０００９】
［アクリル系接着剤除去用品］
本発明のアクリル系接着剤除去用品は、溶剤を含浸させたワイパと、前記ワイパを気密に収容した密封容器とを有し、前記溶剤は、酢酸エチル８０〜９０質量％及び二塩基酸エステル１０〜２０質量％からなることを特徴とする。
【００１０】
本発明のアクリル系接着剤除去用品において、前記二塩基酸エステルは、グルタル酸ジメチル、コハク酸ジメチル及びアジピン酸ジメチルの混合液であることが望ましい。
【００１１】
本発明のアクリル系接着剤除去用品において、前記ワイパは、ポリエステル繊維からなる布、又は、ポリエステル８０質量％及びナイロン２０質量％を含む分割繊維からなる布であることが望ましい。当該布は、編物又は織物であることが望ましい。分割繊維とは、異なる種類の樹脂を同じ口金から押し出して形成される繊維であり、例えば、断面扇形の７つの花弁部（繊維要素）と、隣り合う花弁部同士の間に介在する７つの仕切部を放射状に結合させた断面がほぼアステリスク形状の茎部（繊維要素）とから構成され、これらの繊維要素が断面円形に統合され、且つ分割可能に形成されているものである。
【００１２】
本発明のアクリル系接着剤除去用品において、前記容器は、開封後にその開封端近傍を折り曲げることにより再封止可能な耐溶剤性の袋体と、当該袋体の開封端近傍の折り曲げに伴って変形してその変形後の形状を維持することにより当該袋体を再封止状態に保つ再封止状態保持部材と、を備えていることが望ましい。当該再封止状態保持部材は、前記袋体の表面に固定されていることが望ましい。
【００１３】
［アクリル系接着剤除去方法］
本発明のアクリル系接着剤除去処理方法は、被処理対象物に付着しているアクリル系接着剤を手作業で拭き取り除去するアクリル系接着剤除去処理方法であって、
酢酸エチル８０〜９０質量％及び二塩基酸エステル１０〜２０質量％からなる溶剤を含浸させたワイパと、当該ワイパを気密に収容した容器とを有するアクリル系接着剤除去用品を用意するステップと、
前記容器から前記ワイパを取り出すステップと、
当該ワイパを用いて被処理対象物に付着しているアクリル系接着剤を手作業で拭き取るステップと、を含むことを特徴とする。
【００１４】
本発明のアクリル系接着剤除去処理方法において、前記被処理対象物は、液晶パネルのガラス基板であることが望ましい。
【００１５】
本発明のアクリル系接着剤除去処理方法において、前記二塩基酸エステルは、グルタル酸ジメチル、コハク酸ジメチル及びアジピン酸ジメチルの混合液であることが望ましい。
【００１６】
本発明のアクリル系接着剤除去処理方法において、前記ワイパは、ポリエステル繊維からなる布又は、ポリエステル８０質量％及びナイロン２０質量％を含む分割繊維からなる布であることが望ましい。当該布は、編物又は織物であることが望ましい。
【００１７】
本発明のアクリル系接着剤除去処理方法において、前記容器は、開封後にその開封端近傍を折り曲げることにより簡易に再封止可能な袋体と、当該袋体の開封端近傍の折り曲げに伴って変形してその変形後の形状を維持することにより当該袋体を再封止状態に保つ再封止状態保持部材と、を備えていることが望ましい。当該再封止状態保持部材は、前記袋体の表面に固定されていることが望ましい。
【発明の効果】
【００１８】
本発明によれば、ガラス基板等に付着しているアクリル系接着剤を手作業で効率良く拭き取って除去することができる。
【図面の簡単な説明】
【００１９】
【図１】本発明のアクリル系接着剤除去用品の実施形態を例示する部分破断斜視図
【図２】本発明のアクリル系接着剤除去処理方法の実施形態を例示する一連の工程図
【発明を実施するための形態】
【００２０】
以下、本発明の実施形態につき添付図面を参照して説明する。
図１に示すように、この実施形態のアクリル系接着剤除去用品１は、溶剤を適量含浸させたワイパ２と、ワイパ２を気密に収容した容器３とを有する。ワイパ２は、所定枚数たとえば３０枚重ねた状態で容器３内に収容されている。
前記溶剤は、酢酸エチル８０〜９０質量％及び二塩基酸エステル１０〜２０質量％からなる。二塩基酸エステルとして、グルタル酸ジメチル５５〜６５質量％、コハク酸ジメチル１５〜２５質量％及びアジピン酸ジメチル１０〜２５質量％からなる混合液が使用される。
【００２１】
ワイパ２は、ポリエステル８０質量％及びナイロン２０質量％を含む分割繊維からなる矩形状（例えば正方形）の布に溶剤を含浸させたものである。当該布は、直径が１０ミクロン以下の分割繊維からなる編物である。このワイパ２に使用される分割繊維は、断面扇形の７つのポリエステル製の花弁部（繊維要素）と、隣り合う花弁部同士の間に介在する７つの仕切部を放射状に結合させた断面がほぼアステリスク形状のナイロン製の茎部（繊維要素）とから構成され、これらの繊維要素が断面円形に統合され、且つ分割可能に形成されている。
【００２２】
容器３は、耐溶剤性の二枚のシートを重ねてその周縁部を加圧しつつ融着させることにより気密に封止された袋体４を有し、この袋体４内にワイパ２が収容されている。袋体４の開封側端縁４ａの近傍両端には、開封用のＶ字状の切り込み８が形成されている。
袋体４は、開封後にその開封端近傍を折り曲げることにより簡易に再封止可能である。袋体４の表面には、再封止状態保持部材５が設けられている。再封止状態保持部材５は、袋体４の開封端近傍の折り曲げに伴って変形してその変形後の形状を維持することにより袋体４を再封止状態（図２（Ｄ）参照）に保つ。再封止状態保持部材５は、袋体４の表面に接着により固定されている。再封止状態保持部材５は、自在に変形してその変形後の形状を維持する金属製のワイヤ６を、帯状の柔軟な樹脂膜７で被覆してなる。この例では、再封止状態保持部材５は、袋体４の開封端近傍の二カ所に、袋体４の開封側端縁４ａに対して各々垂直に且つ互いに平行に配置されている。
【００２３】
つぎに、このアクリル系接着剤除去用品１を使用して、液晶モジュールのリワーク工程において液晶パネルのガラス基板の表面に付着しているアクリル系接着剤を除去するアクリル系接着剤除去処理方法について、図２を参照して説明する。
Ｓｔｅｐ１：図２（Ａ）に示すように、未開封のアクリル系接着剤除去用品１を用意する。
Ｓｔｅｐ２：図２（Ｂ）に示すように、アクリル系接着剤除去用品１の容器３を開封する。容器３の開封は、袋体４を切り込み８から封止部９に沿って裂くことにより容易に行うことができる。
Ｓｔｅｐ３：図２（Ｃ）に示すように、袋体４からワイパ２を一枚摘み出す。
Ｓｔｅｐ４：図２（Ｄ）に示すように、袋体４の開封端近傍を折り曲げ、再封止状態保持部材５の部分を押圧することにより袋体４を再封止（簡易封止）する。
Ｓｔｅｐ５：図２（Ｅ）に示すように、液晶パネル１０のガラス基板１１の表面に付着しているアクリル系接着剤１２をワイパ２を使用して手作業で拭き取る。
【００２４】
この方法によれば、液晶パネル１０のガラス基板１１の表面に付着しているアクリル系接着剤１２をワイパ２を使用して手作業で効率良く拭き取ることができる。
【００２５】
ワイパ２には、酢酸エチル８０〜９０質量％及び二塩基酸エステル（グルタル酸ジメチル、コハク酸ジメチル及びアジピン酸ジメチルからなる混合液）１０〜２０質量％からなる溶剤が予め適量含浸されているので、常に必要最小限の一定の溶剤使用量でアクリル系接着剤１２の除去処理を行うことができる。例えば、寸法１７．８センチメートル角のワイパの場合、１枚当たりの溶剤使用量をほぼ正確に１０ミリリットルに規定することができる。これにより、溶剤使用量を従来よりも大幅に削減できる。従来、寸法１７．８センチメートル角のワイパの場合の１枚当たりの溶剤使用量は約２５ミリリットルであったので、例えば、１月にワイパを１２０，０００枚使用する作業場においては、１月当たり約１，８００リットルもの溶剤を節約できる計算になる。
【００２６】
溶剤に占める酢酸エチルの成分量が８０〜９０質量％に規定されていることにより、アクリル系接着剤１２に対する安定した高い溶剤性能を発揮する。これにより、ガラス基板一枚当たりに要する作業時間を極力短くできるとともに、作業者に要求される技能レベルを緩和できる。リワーク工程における作業ミスによる液晶パネル１０のスクラップ発生率も減少する。
溶剤に占める二塩基酸エステル（グルタル酸ジメチル、コハク酸ジメチル及びアジピン酸ジメチルからなる混合液）の成分量が１０〜２０質量％に規定されていることにより、酢酸エチルによるアクリル系接着剤１２に対する安定した高い溶剤性能を損なうことなく、溶剤に含まれる酢酸エチルの揮発を効果的に抑制できる。
【００２７】
従来のリワーク工程においては、アクリル系接着剤１２の拭き取り作業を行うに際し、溶剤に使用する薬液を大型コンテナからディスペンサボトルへ注入し混合する作業が行われていたため溶剤及びそれに使用する薬液の取扱性が悪く、また揮発性の高い薬液を使用するため高い安全対策が必要とされてきたが、この方法によれば、揮発性を抑えた一定の成分の溶剤を予め適量含浸したワイパ２を袋体４から摘み出して直ぐに拭き取り作業を行うことができるので、溶剤及びそれに使用する薬液の取扱いに煩わされることなく、安全に作業を行うことができる。複数の薬液を混合して溶剤を造る作業が不要であることによる利便性及び安全面でのメリットは計り知れない。
また、従来は溶剤とワイパをそれぞれ別個に保管しておく必要があったのに対し、本発明のアクリル系接着剤除去用品１は一カ所に保管できるため、保管場所の確保に要するコストを従来と比較して大幅に低減できる。
【００２８】
なお、上記の実施形態では、ワイパ２として、ポリエステル８０質量％及びナイロン２０質量％を含む分割繊維からなる布を使用しているが、分割繊維を構成するポリエステル及びナイロンの割合はこれに限定されない。また、ワイパ２の繊維として、ポリエステル、ナイロンといった複数種類の繊維要素からなる分割繊維を使用することが望ましいが、ポリエステルからなる単一成分の分割繊維を使用することも可能である。また、分割繊維の代わりに、分割されていない単純な構造のポリエステル繊維を使用することも可能である。
また、上記の実施形態では、ワイパ２に使用する布として編物を使用したが、織物を使用することも可能である。
また、上記の実施形態では、ワイパ２が一容器３当たり３０枚収容されているが、一容器３当たりのワイパ２の収容枚数は任意である。
【符号の説明】
【００２９】
１  アクリル系接着剤除去用品
２  ワイパ
３  容器
４  袋体
５  再封止状態保持部材
１１  ガラス基板（被処理対象物）
１２  アクリル系接着剤
【図１】
2011160961.tif 000003
【図２】
2011160961.tif 000004